(57)【特許請求の範囲】
【請求項１】
賞球遊技台(4) を所定数取付け可能で、且つ賞球遊技場に設置される賞球遊技台の島ユニットであって、賞球遊技台(4) を取付け可能な枠体(2) と、該枠体(2) と分離して配設される枠体(2) を被うことが可能な島飾り(3) とで構成され、
該島飾り(3)には、これを枠体(2) の上方に位置決めするための島飾り固定部材(5) が設けられ、該島飾り固定部材(5) は、移動手段によって、島飾り(3)の長手方向に直交して島飾り(3)が枠体(2)から外れる水平方向に、賞球遊技台(4)のホール内床面を移動可能に設けられ、
前記島飾り固定部材(5) 又は島飾り(3) の少なくとも何れか一方が、水平方向又は鉛直方向の少なくとも何れか一方に伸縮自在な構成にされてなることを特徴とする賞球遊技台の島ユニット。
【請求項２】
前記固定部材(5)は、島飾り(3)の上部に該島飾り(3)の長手方向に沿って所定間隔で所定数取付けられる吊具(5a)と該吊具(5a)を介して島飾り(3)を枠体(2)の上方に位置決めさせるべく賞球遊技場のホール内床面に載置可能な基体(5c)に立設された一対の支柱体(5b)及び該支柱体(5b)及び各吊具(5a)の夫々を一体化させるべく前記島飾り(3)の長手方向に沿って該島飾り(3)より長めの全長で形成された水平杆体とから形成されてなることを特徴とする請求項１記載の賞球遊技台の島ユニット。
【請求項３】
前記島飾り(3) は、枠体２をその上方で被うことが可能な断面視略逆Ｗ字状の屋根状に形成されていることを特徴とする請求項１又は２記載の賞球遊技台の島ユニット。
【請求項４】
前記移動手段として基体(5c)にローラー(6)が設けられていることを特徴とする請求項１乃至３の何れかに記載の賞球遊技台の島ユニット。
【請求項５】
前記島飾り固定部材(5) が、賞球遊技場内の天井(7) に取付け可能な構成にしてなることを特徴とする請求項１乃至４の何れかに記載の賞球遊技台の島ユニット。
【請求項６】
前記島飾り(3) 又は島飾り固定部材(5) の少なくとも何れか一方には、玉供給路(14)が設けられてなることを特徴とする請求項１乃至５の何れかに記載の賞球遊技台の島ユニット。
【請求項７】
前記島飾り(3) 又は島飾り固定部材(5) の少なくとも何れか一方には、不正な賞球遊技を行う者に対して警告を発し、あるいは遊技を停止させるための防犯手段が設けられてなることを特徴とする請求項１乃至６の何れかに記載の賞球遊技台の島ユニット。
【請求項８】
前記島飾り(3) 又は島飾り固定部材(5) の少なくとも何れか一方には、照明手段が設けられてなることを特徴とする請求項１乃至７の何れかに記載の賞球遊技台の島ユニット。
【請求項９】
前記島飾り(3)には、反射手段又は光透過手段の少なくとも何れか一方が設けられてなることを特徴とする請求項１乃至８の何れかに記載の賞球遊技台の島ユニット。
【発明の詳細な説明】
【０００１】
【発明の属する技術分野】
本発明は賞球遊技台の島ユニットに関し、更に詳しくは、主としてパチンコ店のホール内にパチンコ台を片面又は両面に所定数取付けて設置される賞球遊技台の島ユニットに関するものである。
【０００２】
【従来の技術】
従来の賞球遊技台の島ユニットとしては、図７に示すものが存在する。
即ち、かかる島ユニットは、賞球遊技台（パチンコ台）19を片面又は両面（図７では両面）に所定数取付けて賞球遊技場（パチンコ店）のホールに設置される枠体20と該枠体20の上部に設けられた島飾り21とで構成されてなり、しかも該島飾り21には、賞球時等に遊技者に満足感を与えるべく電球等を点滅させる点滅装置21a が賞球遊技台19の夫々に対応して具備された構成にしてなるものである。
【０００３】
【発明が解決しようとする課題】
しかしながら、上記構成からなる島ユニットにおいては、以下の様な問題点があった。
【０００４】
即ち、上記構成からなる島ユニットが設置される賞球遊技場においては、その殆どが枠体に取付けられた賞球遊技台を数カ月単位で入れ替えることにより遊技者に興味を持たせて売上を確保するという手段を講じているのが現状である。
【０００５】
よって、そのための改装工事が極めて煩雑なことから店の規模によっては数日間営業を停止しなければならない場合もあり、特に一日当たりの入店者数が売上に直接影響する賞球遊技場では改装工事中の売上減少が深刻な問題であるばかりか賞球遊技台の入れ替えコストも極めて高額なものとなり、何れにしても賞球遊技場を経営する場合において、遊技者に興味を持たせるべく賞球遊技場に頻繁に入店させるためには高額な費用が必要であるという極めて重大な問題となっていた。
【０００６】
更に、最近の各種娯楽施設には、集客力をより向上させるために各種のアイデアが導入されていることから、賞球遊技場においても、単純に新しい賞球遊技台を数カ月毎に入れ替えるといった手法ではなく、全く新しい何らかの付加価値を導入し賞球遊技場を活気付けて売上を増大させて行かなければならないという賞球遊技場の運営にかかわる将来の不安に対して何らかの解決策が望まれていた。
【０００７】
而して、本発明は上記種々の問題を全て解決するものであり、島ユニットの枠体に取付けられた賞球遊技台を数カ月毎に新しい賞球遊技台に総入れ替えしたり、又大幅に変更したりすることもなく現在使用している賞球遊技台に何ら改造等を施すことなく合法的に集客力をより向上させるべく島ユニットに新しい付加価値を具備させて賞球遊技場を活気付けて売上を増大させることが出来るという極めて優れた賞球遊技台の島ユニットを提供することを課題とするものである。
【０００８】
【課題を解決するための手段】
本発明は上記課題を解決するために全く新しい賞球遊技台の島ユニットを発明し、以下の手段を講じたものである。
【０００９】
本発明の賞球遊技台の島ユニットは、賞球遊技台４を所定数取付け可能で、且つ賞球遊技場に設置される賞球遊技台の島ユニットであって、賞球遊技台４を取付け可能な枠体２と、該枠体２と分離して配設される枠体２を被うことが可能な島飾り３とで構成され、該島飾り３には、これを枠体２の上方に位置決めするための島飾り固定部材5 が設けられ、該島飾り固定部材５は、移動手段によって、島飾り３の長手方向に直交して島飾り３が枠体２から外れる水平方向に、賞球遊技台４のホール内床面を移動可能に設けられ、前記島飾り固定部材５又は島飾り３の少なくとも何れか一方が、水平方向又は鉛直方向の少なくとも何れか一方に伸縮自在な構成にされてなることを特徴としている。
即ち、本発明の賞球遊技台の島ユニットにおいては、該島ユニット１が賞球遊技台４を取付け可能な枠体２と該枠体２と分離して配設される島飾り３とで構成されてなることから、島ユニット１の枠体２に取付けられた賞球遊技台４を数カ月毎に新しい賞球遊技台４に総入れ替えしたり、又大幅に変更したりすることもなく、更に現在使用している賞球遊技台４に何ら改造等を施すことなく合法的に集客力をより向上させるべく枠体２と分離して配設される島飾り３を定期的に異なるデザインや色彩のものに簡単に入れ替えて賞球遊技場内の雰囲気を瞬時にかえることが出来るだけでなく、島飾り３そのものに各種の機能やアイデアを付加することが可能となる。
さらにこの構成によれば、賞球遊技場内に設置される枠体２の長さ寸法や幅寸法又は高さ寸法等に合わせて簡単に島飾り３の長さ寸法や幅寸法又は枠体２と島飾り３との空間距離（島飾り３の賞球遊技場内床面からの配設高さ寸法）や天井と島飾り３との空間距離（島飾り３の賞球遊技場内床面からの配設高さ寸法）を適宜調整することが可能となる。
【００１０】
本発明の賞球遊技台の島ユニットでは、前記固定部材５は、島飾り３の上部に該島飾り３の長手方向に沿って所定間隔で所定数取付けられる吊具5aと該吊具5aを介して島飾り３を枠体２の上方に位置決めさせるべく賞球遊技場のホール内床面に載置可能な基体5cに立設された一対の支柱体5b及び該支柱体5b及び各吊具5aの夫々を一体化させるべく前記島飾り３の長手方向に沿って該島飾り３より長めの全長で形成された水平杆体とから形成されてなることを特徴としている。
この構成では、枠体２と分離してなる島飾り３を該枠体２を一切介することなく島飾り固定部材５を用いて賞球遊技場内の天井や床等を利用して簡単に枠体２の上方に位置決めすることが出来る。
【００１１】  本発明の賞球遊技台の島ユニットでは、前記島飾り3は、枠体２をその上方で被うことが可能な断面視略逆Ｗ字状の屋根状に形成されていることを特徴としている。
この構成によれば、枠体２に取付けられた賞球遊技台４の前に座る遊技者にいままでになかった個室的な雰囲気を与えて遊技への集中力を高めさせることが出来るだけでなく、例えば、屋根状に形成された島飾り３に遊技者サービス提供手段を設けたり、又照明手段を設けた場合であっても、遊技者の頭上の所定の箇所に効率良く配設することが出来る。
【００１２】
本発明の賞球遊技台の島ユニットでは、前記移動手段として基体5cにローラー６が設けられていることを特徴としている。
この場合には、枠体２と分離して配設される島飾り３を定期的に異なるデザインや色彩のものに入れ替える場合や各種の機能やアイデアを付加した夫々異なる各種の島飾り３を入れ替える場合においてローラー（移動手段）６を介して簡単に島飾り３の入れ替え作業を行うことが出来るだけでなく、入れ替えた島飾り３を枠体２の上方に簡単に、且つ瞬時に位置決めすることが出来る作業上の利点がある。
【００１３】
本発明の賞球遊技台の島ユニットでは、前記島飾り固定部材5 が、賞球遊技場内の天井7 に取付け可能な構成にしてなることを特徴としている。これによれば、簡単な作業で枠体２を一切介することなく島飾り固定部材５を用いて枠体２の上方に位置決めすることが出来る。
【００１６】
本発明の賞球遊技台の島ユニットでは、前記島飾り3 又は島飾り固定部材5 の少なくとも何れか一方には、玉供給路14が設けられてなることを特徴としている。
この構成によれば、従来では個々の枠体２毎に組み込まれていた玉供給路を枠体２から排除して独立させることが出来、よって、該枠体２に取付けられた賞球遊技台４を数カ月毎に新しい賞球遊技台４に総入れ替えしたり、又大幅に変更したりする場合において、例えば枠体２をも新規なものに入れ替えなければならない様な事態が生じた場合であっても、新しい枠体２から玉供給路を排除することで枠体２に係るコストを大幅に低減して設備費を最少にとどめることが出来る。
【００１７】
本発明の賞球遊技台の島ユニットでは、前記島飾り3 又は島飾り固定部材5 の少なくとも何れか一方には、不正な賞球遊技を行う者に対して警告を発し、あるいは遊技を停止させるための防犯手段が設けられてなることを特徴としている。
この構成によれば、現在使用している賞球遊技台４や枠体２に何ら改造等を施すことなく合法的に不正を行う者に対して警告を発したり、又は遊技を停止させることが出来る新しい付加価値を島ユニットに具備させて犯罪の発生を未然に防止することが出来、しいては利益の損失を防ぐことが出来る。
【００１８】
本発明の賞球遊技台の島ユニットでは、前記島飾り3 又は島飾り固定部材5 の少なくとも何れか一方には、照明手段が設けられてなることを特徴としている。
この構成によれば、例えば、賞球遊技場内の天井７に照明設備を設けることなく前記島飾り３又は島飾り固定部材５にスポット照明器具や間接照明器具等の各種照明設備を設けた場合には、各枠体２を該枠体２の上方より照らすことで暗い賞球遊技場内で浮き上がらせるべく独自の雰囲気を演出することが可能となり、よって男性のみならず特に女性の視覚にうったえて遊技者に興味を持たせるための手段として用いることが出来る。
【００１９】
本発明の賞球遊技台の島ユニットでは、前記島飾り3には、反射手段又は光透過手段の少なくとも何れか一方が設けられてなることを特徴としている。
この構成によれば、賞球遊技場内の天井７に各種の照明設備が設けられてなる場合であっても、又島飾り３に各種の照明設備が設けられた場合であっても各種の光を介していままでになかった独自の雰囲気作りを行うことが出来る。
【００２０】
更に、島飾り３が、該島飾り３に装着される島飾り本体構成パーツ3a又は島飾り装飾パーツ3bの少なくとも何れか一方を交換又は変更可能な構成にすることにより、賞球遊技場内に配設された島飾り３の仕様変更を行う場合であっても、煩雑な島飾り３の分解作業等を全く行うことなく、簡単に、しかも極めて短時間の内に島飾り３の形態、絵図柄、色彩等を変更することが出来、よって現在使用している賞球遊技台４を新しい賞球遊技台４に総入れ替えしたり、又大幅に変更したりすることなく遊技者に興味を持たせて入店を促すことが出来る。
【００２１】
更に、枠体２が、該枠体２に装着される枠体本体構成パーツ2a又は枠体装飾パーツ2bの少なくとも何れか一方を交換又は変更可能な構成にすることにより、賞球遊技場内に配設された枠体２の仕様変更を行う場合であっても、煩雑な枠体２の分解作業等を全く行うことなく、簡単に、しかも極めて短時間の内に枠体２の形態、絵図柄、色彩等を変更することが出来、よって現在使用している賞球遊技台４を新しい賞球遊技台４に総入れ替えしたり、又大幅に変更したりすることなく遊技者に興味を持たせて入店を促すことが出来る。
【００２２】
【発明の実施の形態】
＜第一実施形態＞
以下、本発明における賞球遊技台の島ユニットの一実施形態を図面に従って説明する。
【００２３】
先ず、図１（イ）に於いて、１は賞球遊技場（パチンコ店）のホール内に所定の間隔で複数並設される島ユニットを示し、かかる島ユニット１は賞球遊技台（パチンコ台）４を両面に所定数取付け可能で、且つ賞球遊技場のホールに設置される枠体２と該枠体２と分離し、しかも枠体２を被うことが可能な断面視略逆Ｗ字状の屋根状に形成されると共に後述する島飾り固定部材５を介して枠体２の上方に位置決めされる島飾り３とから構成されてなる。
【００２４】
尚、上記島飾り３は、枠体２に取付けられた賞球遊技台４の幅寸法（枠体２の長手方向側に沿った賞球遊技台４の幅寸法）と略同じ幅寸法を有することで賞球遊技台４の夫々に対応する複数の分割部材を一体化することで形成されると共に賞球遊技台４と対峙する遊技者（図示せず）を上方から被うことが可能な大きさを有すると共に前記島飾り固定部材５は、島飾り３の上部に該島飾り３の長手方向に沿って所定間隔で所定数取付けられる吊具5aと該吊具5aを介して島飾り３を枠体２の上方に位置決めさせるべく賞球遊技場のホール内床面に載置可能な基体5cに立設された一対の支柱体5b及び該支柱体5b及び各吊具5aの夫々を一体化させるべく前記島飾り３の長手方向に沿って該島飾り３より長めの全長で形成された水平杆体とから形成されてなるものである。
【００２５】
従って、本発明における賞球遊技台の島ユニットによれば、島飾り３が枠体２と分離して配設されることから、島ユニット１の枠体２に取付けられた賞球遊技台４を数カ月毎に新しい賞球遊技台４に総入れ替えしたり、又大幅に変更したりすることもなく、更に現在使用している賞球遊技台４に何ら改造等を施すことなく合法的に集客力をより向上させるべく枠体２と分離して配設される島飾り３を定期的に異なるデザインや色彩のものに簡単に入れ替えて賞球遊技場内の雰囲気を瞬時にかえることが出来るだけでなく、島飾り３そのものに各種の機能やアイデアを付加することが可能となり、よって集客力の向上の為に賞球遊技台４の総入れ替えや大幅な変更等を一切行うことなく島ユニット１に新しい付加価値を具備させて賞球遊技場を活気付けて売上を増大させることが出来るという経営上の大きな利点がある。
【００２６】
更に、島飾り３が枠体２を被うことが可能な屋根状に形成されてなることから、枠体２に取付けられた賞球遊技台４の前に座る遊技者にいままでになかった個室的な雰囲気を与えて遊技への集中力を高めさせることが出来るだけでなく、例えば、屋根状に形成された島飾り３に遊技者サービス提供手段を設けたり、又照明手段を設けた場合であっても、遊技者の頭上の所定の箇所に効率良く配設することが出来る利点がある。
【００２７】
更に、島飾り３には、該島飾り３を枠体２の上方に位置決めするための島飾り固定部材５が設けられてなることから、枠体２と分離してなる島飾り３を該枠体２を一切介することなく島飾り固定部材５を用いて賞球遊技場内の天井や床等を利用して簡単に枠体２の上方に位置決めすることが出来る作業上の利点がある。
【００２８】
尚、上記実施形態において、島飾り固定部材５は、吊具5aと該吊具5aを介して島飾り３を枠体２の上方に位置決めさせるべく賞球遊技場のホール内床面に載置可能な基体5cに立設された一対の支柱体5b及び該支柱体5b及び各吊具5aの夫々を一体化させる水平杆体とから形成されてなるが、同図（ロ）に示すように、例えば、島飾り固定部材５の基体5cに賞球遊技場内を移動可能な移動手段としてのローラー６が設けられていてもよい。
【００２９】
よって、この場合には、枠体２と分離して配設される島飾り３を定期的に異なるデザインや色彩のものに入れ替える場合や各種の機能やアイデアを付加した夫々異なる各種の島飾り３を入れ替える場合においてローラー（移動手段）６を介して簡単に島飾り３の入れ替え作業を行うことが出来るだけでなく、入れ替えた島飾り３を枠体２の上方に簡単に、且つ瞬時に位置決めすることが出来る作業上の利点があるが、同図（ハ）のように、島飾り固定部材５が所定の形状を有すると共に、賞球遊技場内の天井７に取付け可能な構成であってもよく、この場合であっても、簡単な作業で枠体２を一切介することなく島飾り固定部材５を用いて枠体２の上方に位置決めすることが出来る作業上の利点がある。
【００３０】
＜第二実施形態＞
又、前記島飾り固定部材５が、吊具5aと該吊具5aを介して島飾り３を枠体２の上方に位置決めさせるべく賞球遊技場のホール内床面に載置可能な基体5cに立設された一対の支柱体5b及び該支柱体5b及び各吊具5aの夫々を一体化させる水平杆体とから形成されてなる場合等において、例えば、図２（イ）に示すように、島飾り固定部材５の水平杆体部に伸縮部８が設けられていてもよく、又同図（ロ）のように、各吊具5aに伸縮部８が設けられてなる場合や同図（ハ）のように、支柱体5bに伸縮部８が設けられていてもよい。
【００３１】
よって、この場合には、島飾り固定部材５を水平方向（矢印Ａ）又は鉛直方向（矢印Ｂ及びＣ）に伸縮自在とすることが可能となり、しいては賞球遊技場内に設置される枠体２の長さ寸法や幅寸法又は高さ寸法等に合わせて簡単に島飾り３の長さ寸法や幅寸法又は枠体２と島飾り３との空間距離（島飾り３の賞球遊技場内床面からの配設高さ寸法）や天井と島飾り３との空間距離（島飾り３の賞球遊技場内床面からの配設高さ寸法）を適宜調整することが可能となる。
【００３２】
従って、枠体２の種類に対応して最適な状態で島飾り３を枠体２の上方に簡単に、且つ瞬時に位置決めすることが出来る作業上の利点があるが、例えば、同図（ニ）に示すように、島飾り固定部材５が賞球遊技場内の天井７に取付け可能な構成であった場合において、該島飾り固定部材５に伸縮部８が設けられていてもよく、この場合であっても鉛直方向（矢印Ｄ）に島飾り３を移動させることが可能となり、よって枠体２の高さに対応して最適な状態で島飾り３を枠体２の上方に簡単な作業で、しかも枠体２を一切介することなく枠体２の上方に島飾り３を位置決めすることが出来る作業上の利点があるが、必ずしも島飾り固定部材５だけが水平方向又は鉛直方向の少なくとも何れか一方に伸縮自在な構成である必要はなく、例えば、島飾り３が水平方向又は鉛直方向の少なくとも何れか一方に伸縮自在な構成（図示せず）であってもよく、この場合でも上記島飾り固定部材５に伸縮部８が設けられた場合と同様に、賞球遊技場内に設置される枠体２の長さ寸法や幅寸法又は高さ寸法等に合わせて簡単に島飾り３の長さ寸法や幅寸法又は枠体２と島飾り３との空間距離や天井と島飾り３との空間距離を適宜調整することが出来、よって、枠体２の種類に対応して最適な状態で島飾り３を枠体２の上方に簡単に、且つ瞬時に位置決めすることが出来る作業上の利点がある。
【００３３】
＜第三実施形態＞
更に、島飾り３に以下で述べるような各種の遊技者サービス提供手段を設けてもよい。
即ち、図３（イ）に示すように、島飾り３に各種音響装置に接続されたスピーカー９を設けた場合には、スピーカー９より発せられる曲の種類等によって遊技者にやる気を出させたり、リラックスさせることが出来るという精神上のサービスを与えることが出来るという利点がある。
【００３４】
又、同図（ロ）のように、島飾り３に換気装置10を設けた場合には、特に遊技者の中で喫煙者が発する煙草の煙を賞球遊技台４の上方で吸引することが可能となり、しいては賞球遊技場内の空気の汚れを喫煙者の近傍で効率よく除去することが出来、しいては賞球遊技場内の壁、天井、賞球遊技台４等が煙草のヤニによって汚れるのを防ぐことが出来る利点がある。
【００３５】
更に、同図（ハ）に示すように、島飾り３に各種通信網にアクセス可能な情報処理装置の端末機11が設けられていてもよく、この場合には、賞球遊技場から所定の外部情報処理装置へとアクセスして各種情報データの入出力を瞬時に、しかもリアルタイムに行うことが出来、よって賞球遊技場内であっても特に仕事に関係する緊急な要件をその場で迅速に処理することが可能になるという利点があるが、例えば、端末機11が各種通信網にアクセス可能な情報処理装置の端末としてではなく、賞球遊技場内のホストコンピュータ又は各枠体毎を管理する島コンピュータの少なくとも何れか一方に接続されることにより各種の賞球遊技台情報を遊技者に提供するための情報告知装置として用いられてもよく、この場合には遊技者に、例えば現在使用している賞球遊技台でのプレー続行の判断や別の賞球遊技台へのプレー変更のタイミング等の判断の目安を与えることが出来る利点がある。
【００３６】
更に、図３（ニ）に示すように、島飾り３に芳香装置12が設けられていてもよく、この場合には、遊技者に各種のアロマ効果を与えて精神をリラックスさせ、よりプレーに集中させることが出来る利点がある。
【００３７】
更に、同図（ホ）に示すように、島飾り３に各種景品情報が映しだされるモニター13が設けられていてもよく、この場合には、遊技者の景品取得欲を向上させることが可能となり、よって賞球遊技場内で手配管理してなる各種景品の回転率を上げることが出来る利点がある。
【００３８】
尚、上記各種遊技者サービス提供手段は全て島飾り３に設けられた場合について説明したが、各種の遊技者サービス提供手段が島飾り固定部材５に設け（図示せず）られていてもよく、要は各種の遊技者サービス提供手段が島飾り３又は島飾り固定部材５の少なくとも何れか一方に設けられることにより、現在賞球遊技場内で使用している賞球遊技台４に何ら改造等を施すことなく合法的に集客力をより向上させるための付加価値を遊技者に提供することで賞球遊技場への入店者数を増大させて売上げを向上させるべく遊技者に興味を持たせるための手段として用いることが出来る経営上の利点がある。
【００３９】
＜第四実施形態＞
更に、図４（イ），（ロ）に示すように、例えば、島飾り３を枠体２の上方に簡単に位置決めするための島飾り固定部材５が天井７に取付けられてなる場合において、同図（イ）の様に、島飾り固定部材５内に玉供給路14が設けられていてもよく、又同図（ロ）の様に、島飾り３に玉供給路14が設けられていてもよい。
【００４０】
よって、上記の如く島飾り３又は島飾り固定部材５の少なくとも何れか一方に玉供給路14が設けられてなる場合には、従来では個々の枠体２毎に組み込まれていた玉供給路を枠体２から排除して独立させることが出来、よって、該枠体２に取付けられた賞球遊技台４を数カ月毎に新しい賞球遊技台４に総入れ替えしたり、又大幅に変更したりする場合において、例えば枠体２をも新規なものに入れ替えなければならない様な事態が生じた場合であっても、新しい枠体２から玉供給路を排除することで枠体２に係るコストを大幅に低減して設備費を最少にとどめることが出来る経営上の利点がある。
【００４１】
更に、図４（ハ）に示すように、例えば、玉供給路14が設けられた島飾り固定部材５に、不正を行う者に対し外部操作を介して玉供給路14を閉鎖し賞球遊技台４への玉供給を停止すべく防犯手段としての供給路開閉装置15を設けたり、又島飾り３に不正を行う者に対して警告を促すための防犯手段としての表示灯15a を設けてもよい。
【００４２】
よって、上記の如く島飾り３又は島飾り固定部材５の少なくとも何れか一方に防犯手段を設けた場合には、現在使用している賞球遊技台４や枠体２に何ら改造等を施すことなく合法的に不正を行う者に対して警告を発したり、又は遊技を停止させることが出来る新しい付加価値を島ユニットに具備させて犯罪の発生を未然に防止することが出来、しいては利益の損失を防ぐことが出来るという経営上の利点がある。
【００４３】
＜第五実施形態＞
更に、図５（イ）に示すように、例えば、島飾り３を枠体２の上方に簡単に位置決めするための島飾り固定部材５が枠体２に取付けられてなる場合において、該島飾り固定部材５に島飾り３を照らすための照明手段としてのスポット照明器具16や各種の間接照明器具（図示せず）等が設けられていてもよく、この場合には、賞球遊技場内の天井７に照明設備を設けることなく島飾り３に反射する光を介して枠体２を該枠体２の上方より照らすことで暗い賞球遊技場内で浮き上がらせるべく独自の雰囲気を演出することが可能となり、よって男性のみならず特に女性の視覚にうったえて遊技者に興味を持たせるための手段として用いることが出来る経営上の利点がある。
【００４４】
尚、上記照明手段として各種の照明器具16が、同図（ロ）及び（ハ）のように島飾り３に設けられてなる場合において、該島飾り３に各種の光反射板（光反射手段）16a を設けたり、又輝度を向上させたり照度を柔らかくするための各種表面処理や材質を用いた照明カバー体（光透過手段）16b を設けてもよい。
【００４５】
よって、島飾り３に光反射手段又は光透過手段の少なくとも何れか一方が設けられてなる場合には、賞球遊技場内の天井７に各種の照明設備が設けられてなる場合であっても、又島飾り３に各種の照明設備が設けられた場合であっても各種の光を介していままでになかった独自の雰囲気作りを行うことが出来る経営上の利点がある。
【００４６】
＜第六実施形態＞
更に、図６（イ）に示すように、島飾り３が、該島飾り３に装着される島飾り本体構成パーツ3a又は島飾り装飾パーツ3bから形成され、しかも該本体構成パーツ3a又は島飾り装飾パーツ3bの少なくとも何れか一方を交換又は変更可能な構成であってもよく、よってこの場合には、賞球遊技場内に配設された島飾り３の仕様変更を行う場合であっても、煩雑な島飾り３の分解作業等を全く行うことなく、簡単に、しかも極めて短時間の内に島飾り３の形態、絵図柄、色彩等を変更することが出来、よって現在使用している賞球遊技台４を新しい賞球遊技台４に総入れ替えしたり、又大幅に変更したりすることなく遊技者に興味を持たせて入店を促すことが出来る経営上の利点がある。
【００４７】
更に、同図（ロ）に示すように、枠体２が、該枠体２に装着される枠体本体構成パーツ2a又は枠体装飾パーツ2bから形成され、しかも該枠体本体構成パーツ2a又は枠体装飾パーツ2bの少なくとも何れか一方を交換又は変更可能な構成であってもよく、よってこの場合であっても賞球遊技場内に配設された枠体２の仕様変更を行う場合において、煩雑な枠体２の分解作業等を全く行うことなく、簡単に、しかも極めて短時間の内に枠体２の形態、絵図柄、色彩等を変更することが出来、よって現在使用している賞球遊技台４を新しい賞球遊技台４に総入れ替えしたり、又大幅に変更したりすることなく遊技者に興味を持たせて入店を促すことが出来る経営上の利点がある。
【００４８】
而して、本発明における賞球遊技台、枠体、島飾り及び島飾り固定部材等の具体的な形状、組み立て構造、数量、大きさ及び材質等も決して限定されないのは言うまでもなく、要は賞球遊技場内に配設される島ユニットが賞球遊技台を取付け可能な枠体と該枠体と分離して配設される島飾りとで構成されていればよい。
【００４９】
【発明の効果】
叙上の様に、本発明の賞球遊技台の島ユニットによれば、該島ユニットが賞球遊技台を取付け可能な枠体と該枠体と分離して配設される島飾りとで構成されてなる場合には、島ユニットの枠体に取付けられた賞球遊技台を数カ月毎に新しい賞球遊技台に総入れ替えしたり、又大幅に変更したりすることもなく、更に現在使用している賞球遊技台に何ら改造等を施すことなく合法的に集客力をより向上させるべく枠体と分離して配設される島飾りを定期的に異なるデザインや色彩のものに簡単に入れ替えて賞球遊技場内の雰囲気を瞬時にかえることが出来るだけでなく、島飾りそのものに各種の機能やアイデアを付加することが可能となり、よって集客力の向上の為に賞球遊技台の総入れ替えや大幅な変更等を一切行うことなく島ユニットに新しい付加価値を具備させて賞球遊技場を活気付けて売上を増大させることが出来るという経営上の大きな効果がある。
【００５０】
更に、島飾りに、該島飾りを枠体の上方に位置決めするための島飾り固定部材が設けられてなる場合には、枠体と分離してなる島飾りを該枠体を一切介することなく島飾り固定部材を用いて賞球遊技場内の天井や床等を利用して簡単に枠体の上方に位置決めすることが出来るという作業上の効果がある。
【００５１】
更に、島飾り固定部材に、賞球遊技場内を移動可能な移動手段が設けられてなる場合には、枠体と分離して配設される島飾りを定期的に異なるデザインや色彩のものに入れ替える場合や各種の機能やアイデアを付加した夫々異なる各種の島飾りを入れ替える場合において移動手段を介して簡単に島飾りの入れ替え作業を行うことが出来るだけでなく、入れ替えた島飾りを枠体の上方に簡単に、且つ瞬時に位置決めすることが出来る作業上の効果がある。
【００５２】
又、島飾り固定部材が、賞球遊技場内の天井に取付け可能な場合には、簡単な作業で枠体を一切介することなく島飾り固定部材を用いて枠体の上方に位置決めすることが出来る作業上の効果がある。
【００５３】
更に、島飾り固定部材又は島飾りの少なくとも何れか一方が、水平方向又は鉛直方向の少なくとも何れか一方に伸縮自在な場合には、賞球遊技場内に設置される枠体の長さ寸法や幅寸法又は高さ寸法等に合わせて簡単に島飾りの長さ寸法や幅寸法又は枠体と島飾りとの空間距離や天井と島飾りとの空間距離を適宜調整することが可能となり、よって、枠体の種類に対応して最適な状態で島飾りを枠体の上方に簡単に、且つ瞬時に位置決めすることが出来る作業上の効果がある。
【００５４】
更に、島飾り又は島飾り固定部材の少なくとも何れか一方に、遊技者サービス提供手段が設けられてなる場合には、現在使用している賞球遊技台に何ら改造等を施すことなく合法的に集客力をより向上させるための付加価値を遊技者に提供することで賞球遊技場への入店者数を増大させて売上げを向上させるべく遊技者に興味を持たせるための手段として用いることが出来る経営上の効果がある。
【００５５】
更に、島飾り又は島飾り固定部材の少なくとも何れか一方に、玉供給路が設けられてなる場合には、従来では個々の枠体毎に組み込まれていた玉供給路を枠体から排除して独立させることが出来、よって、該枠体に取付けられた賞球遊技台を数カ月毎に新しい賞球遊技台に総入れ替えしたり、又大幅に変更したりする場合において、例えば枠体をも新規なものに入れ替えなければならない様な事態が生じた場合であっても新しい枠体から玉供給路を排除することで枠体に係るコストを大幅に低減して設備費を最少にとどめることが出来る経営上の効果がある。
【００５６】
更に、島飾り又は島飾り固定部材の少なくとも何れか一方に、防犯手段が設けられてなる場合には、現在使用している賞球遊技台や枠体に何ら改造等を施すことなく合法的に不正を行う者に対して警告を発したり、又は遊技を停止させることが出来る新しい付加価値を島ユニットに具備させて犯罪の発生を未然に防止することが出来、しいては利益の損失を防ぐことが出来るという経営上の効果がある。
【００５７】
更に、島飾り又は島飾り固定部材の少なくとも何れか一方に、照明手段が設けられてなる場合には、例えば、賞球遊技場内の天井に照明設備を設けることなく前記島飾り又は島飾り固定部材にスポット照明器具や間接照明器具等の各種照明設備を設けた場合に、各枠体を該枠体の上方より照らすことで暗い賞球遊技場内で浮き上がらせるべく独自の雰囲気を演出することが可能となり、よって男性のみならず特に女性の視覚にうったえて遊技者に興味を持たせるための手段として用いることが出来る経営上の効果がある。
【００５８】
又、島飾りが枠体を被うことが可能な屋根状に形成されてなる場合には、枠体に取付けられた賞球遊技台の前に座る遊技者にいままでになかった個室的な雰囲気を与えて遊技への集中力を高めさせることが出来るだけでなく、例えば、屋根状に形成された島飾りに遊技者サービス提供手段を設けたり、又照明手段を設けた場合であっても、遊技者の頭上の所定の箇所に効率良く配設することが出来る効果がある。
【００５９】
更に、島飾りに、光反射手段又は光透過手段の少なくとも何れか一方が設けられてなる場合には、賞球遊技場内の天井に各種の照明設備が設けられてなる場合であっても、又島飾りに各種の照明設備が設けられた場合であっても各種の光を介していままでになかった独自の雰囲気作りを行うことが出来る経営上の効果がある。
【００６０】
更に、島飾りが、該島飾りに装着される島飾り本体構成パーツ又は島飾り装飾パーツの少なくとも何れか一方を交換又は変更可能な構成にしてなる場合には、賞球遊技場内に配設された島飾りの仕様変更を行う場合であっても、煩雑な島飾りの分解作業等を全く行うことなく、簡単に、しかも極めて短時間の内に島飾りの形態、絵図柄、色彩等を変更することが出来、よって現在使用している賞球遊技台を新しい賞球遊技台に総入れ替えしたり、又大幅に変更したりすることなく遊技者に興味を持たせて入店を促すことが出来る経営上の効果がある。
【００６１】
更に、枠体が、該枠体に装着される枠体本体構成パーツ又は枠体装飾パーツの少なくとも何れか一方を交換又は変更可能な構成にしてなる場合には、賞球遊技場内に配設された枠体の仕様変更を行う場合であっても、煩雑な枠体の分解作業等を全く行うことなく、簡単に、しかも極めて短時間の内に枠体の形態、絵図柄、色彩等を変更することが出来、よって現在使用している賞球遊技台を新しい賞球遊技台に総入れ替えしたり、又大幅に変更したりすることなく遊技者に興味を持たせて入店を促すことが出来る経営上の効果がある。
【図面の簡単な説明】
【図１】  本発明における賞球遊技台の島ユニットの一実施形態を示し、（イ）は斜視図，（ロ）は要部拡大斜視図，（ハ）は島飾りの取付け状態図。
【図２】  本発明の賞球遊技台の島ユニットの他の実施形態を示し、（イ），（ロ），（ハ）は要部拡大斜視図，（ニ）は島飾りの取付け状態図。
【図３】  本発明の賞球遊技台の島ユニットに用いられる島飾りの他の実施形態を示し、（イ），（ロ），（ハ），（ニ），（ホ）は要部拡大一部省略説明図。
【図４】  本発明の賞球遊技台の島ユニットに用いられる島飾りの他の実施形態を示し、（イ），（ロ），（ハ），（ニ）は要部拡大一部省略説明図。
【図５】  本発明における賞球遊技台の島ユニットの他の実施形態を示し、（イ），（ロ），（ハ）は一部省略説明図。
【図６】  本発明における賞球遊技台の島ユニットの他の実施形態を示し、（イ）は島飾りの要部拡大一部省略説明図，（ロ）は枠体の要部拡大斜視図。
【図７】  従来の賞球遊技台の島ユニットを示す斜視図。
【符号の説明】
１…賞球遊技台の島ユニット
２…枠体
３…島飾り
４…賞球遊技台
５…島飾り固定部材
６…ローラー
７…天井
【図１】
0003976387.tif 000002
【図２】
0003976387.tif 000003
【図３】
0003976387.tif 000004
【図４】
0003976387.tif 000005
【図５】
0003976387.tif 000006
【図６】
0003976387.tif 000007
【図７】
0003976387.tif 000008